(57)【要約】【課題】使用者が正規のバットをボールに当てる直前に、より大きくしならせるべくスイング力を効率よく強化でき、バットの曲げ弾性反発力を打球に伝えるタイミングと正確にミートする技術が同時に身につくトレーニングができるトレーニング用バットを得る。【解決手段】屈曲性を有する繊維強化プラスチック製の芯部１０と、芯部１０の外側をバット形状にプラスチックフォームで覆った被覆部１６とを一体形成した。芯部１０の両端に樹脂製の抜け止め部材１２，１４を嵌着し、抜け止め部材１２，１４は芯部１０の径よりも大きく、抜け止め部材１２，１４の外側をも被覆部１６で覆った。グリップ部６の表面は螺旋溝形状あるいは凹凸形状に形成した。打球部２側の先端面に開口する穴１８を設けた。【選択図】  図１
2005058670.tif 000002
【特許請求の範囲】
【請求項１】
バットスイングのトレーニングをするトレーニング用バットにおいて、
屈曲性を有する繊維強化プラスチック製の芯部と、該芯部の外側をバット形状にプラスチックフォームで覆った被覆部とを一体形成したことを特徴とするトレーニング用バット。
【請求項２】
前記芯部の両端に樹脂製の抜け止め部材を嵌着し、該抜け止め部材は前記芯部の径よりも大きく、該抜け止め部材の外側をも前記被覆部で覆ったことを特徴とする請求項１記載のトレーニング用バット。
【請求項３】
グリップ部の表面は螺旋溝形状あるいは凹凸形状に形成したことを特徴とする請求項１又は請求項２記載のトレーニング用バット。
【請求項４】
打球部側の先端面に開口する穴を設けたことを特徴とする請求項１ないし請求項３記載のトレーニング用バット。
【発明の詳細な説明】
【技術分野】
【０００１】
本発明は、スイング力を効率よく強化するとともに、ボールを正確に打つためのトレーニングに用いる野球やソフトボールのトレーニング用バットに関する。
【背景技術】
【０００２】
従来より、スイング力を強化するとともに、ボールを正確に打つことを目的とした野球のトレーニング用バットとして、打球部に重りを取り付けた実打可能のバットが知られている。例えば野球のマスコットバットでは、打球部に重りを内在して、正規のバットよりも総重量を重くしている。これを素振りやティー打撃に用いることによってスイングする使用者に負荷を与え、スイング力を強化した後、正規のバットにおいて強い打球を正確に打てるようにして、技術の向上を図るようにしている。
【０００３】
また、特許文献１にあるように、身体に巻き付く程度の柔軟な可撓性をもたせたスイング練習具が提案されているが、このスイング練習具は金属等の剛性を有するグリップに、可撓性および略直線状態に復元する程度の弾性を有するバット形状の合成樹脂部材をピン等で取り付けた接合構成からなり、スイングフォームの矯正を行うことを目的としている。
【特許文献１】特開２００２−２０４８４５
【発明の開示】
【発明が解決しようとする課題】
【０００４】
しかしながら、こうした従来のものでは、以下のような問題点を有していた。すなわち、前者のマスコットバットでは、発明者が知見を得た、強い打球を打つ秘訣である、正規の木製および金属製バットをボールに当てる直前に、数ミリ程度ではあるが、より大きくしならせて、その曲げ弾性反発力を打球に伝えるというトレーニングには、なっておらず、打球の飛距離をアップさせるスイング力を強化するには効率の悪いものであった。
【０００５】
一方、後者の特許文献１のスイング練習具では、身体に巻き付く程度の可撓性を有しているが、スイング力を強化する、トレーニング用バットとしての構成にはなっていなかった。すなわち、トレーニングの負荷となる適度な弾性を有していない構造であった。また、軟式ボールや硬式ボールを実打できる耐久性をもった構成でもないため、バットの曲げ弾性反発力を打球に伝えるタイミングと、正確にミートする技術が同時に身につくトレーニングはできなかった。
【０００６】
本発明の課題は、使用者が正規のバットをボールに当てる直前に、より大きくしならせるべくスイング力を効率よく強化でき、バットの曲げ弾性反発力を打球に伝えるタイミングと正確にミートする技術が同時に身につくトレーニングができるトレーニング用バットを提供することにある。
【課題を解決するための手段】
【０００７】
かかる課題を達成すべく、本発明は課題を解決するため次の手段を取った。即ち、バットスイングのトレーニングをするトレーニング用バットにおいて、屈曲性を有する繊維強化プラスチック製の芯部と、該芯部の外側をバット形状にプラスチックフォームで覆った被覆部とを一体形成したことを特徴とするトレーニング用バットがそれである。前記芯部の両端に樹脂製の抜け止め部材を嵌着し、該抜け止め部材は前記芯部の径よりも大きく、該抜け止め部材の外側をも前記被覆部で覆った構成としてもよい。また、グリップ部の表面は螺旋溝形状あるいは凹凸形状に形成してもよい。あるいは、打球部側の先端面に開口する穴を設けてもよい。
【発明の効果】
【０００８】
本発明のトレーニング用バットは、使用者が正規のバットをボールに当てる直前に、より大きくしならせるべくスイング力を効率よく強化でき、バットの曲げ弾性反発力を打球に伝えるタイミングと正確にミートする技術が同時に身につくトレーニング効果を奏し、打球の飛距離がアップする。
【発明を実施するための最良の形態】
【０００９】
以下本発明を実施するための最良の形態を図面に基づいて詳細に説明する。
図１に示すように、１は野球のトレーニング用バット(以下バット)であり、このバット１は打球部２、打球部２に連接して径が徐々に小さくなるテーパ部４、テーパ部４に連接したグリップ部６を備えている。グリップ部６は使用者の左右両手で上下に握れる長さ及び太さに形成されると共に、グリップ部６の端には、径方向に突出したグリップエンド部８が設けられている。
【００１０】
また、バット１は、芯部１０と被覆部１６とから形成されており、芯部１０は屈曲性を有する繊維強化プラスチック製の丸棒状若しくはパイプ状のものである。芯部１０の素材の一例として曲げ弾性率が２５００kgf/mm2程度のガラス繊維充填不飽和ポリエステル樹脂が強度、曲げ弾性、耐摩耗性、低コスト面に適している。芯部１０の太さとしては直径６〜１０ミリが適当であり、使用者の年齢あるいは能力に合ったバット１の曲げ弾性になるよう芯部１０の太さを選択するとよい。
【００１１】
また、芯部１０の両端には、樹脂製の抜け止め部材１２，１４が嵌着されている。抜け止め部材１２，１４は、バット１をスイングした際に芯部１０が後述する被覆部１６から抜けて飛びだすことを防止するためと、製作過程で芯部１０を位置決めするためのもので、打球部２とグリップエンド部８に内在し、被覆部１６内に納められている。素材の一例として打球部２に内在するものはウレタンゴムが耐衝撃性に適し、グリップエンド部８に内在するものは芯部１０と同素材が接着性に適している。また、プリプレグを抜け止め部材１２，１４の形状に巻き付け、熱硬化させてもよい。
【００１２】
図２に示すように、打球部２に内在している抜け止め部材１２は、芯部１０の径よりも大きく、バット１の内部に収まる大きさで、外周の角を落とした円柱形状である。図３に示すように、グリップエンド部８に内在している抜け止め部材１４はグリップエンド部８の形状に沿ったテーパ形状である。
【００１３】
抜け止め部材１２，１４は、円柱状の有底孔１２ａ，１２ｂ，１４ａ，１４ｂを芯部１０を挿入する側と、その反対側に有し、一方の有底孔１２ａ，１４ａには芯部１０を挿入し、接着剤等で両者を固定する。他方の有底孔１２ｂ，１４ｂは、金型で一体成形する際の位置決めに用いられ、入口を広げたテーパ形状としてもよい。尚、グリップエンド部８に内在している抜け止め部材１４は、図４に示すように、円柱状の孔１４ｃを貫通させ、接着面を大きくする形状にしてもよい。
【００１４】
芯部１０の外側は被覆部１６により覆われており、被覆部１６はプラスチックフォームからなり、素材の一例としてポリウレタンフォームが屈曲性、耐摩耗性、耐候性、成形加工性に適している。被覆部１６は芯部１０とバット形状に一体形成されており、芯部１０はバット１の全長よりやや短く被覆部１６内に納められ、具体的にはバット１の両端からそれぞれ１０〜５０ミリ程度短い長さで、バット１の中心に位置している。
【００１５】
また、製作過程でバット１の両端には、抜け止め部材１２，１４の窪みに連接した、位置決め用の円柱状の穴が空くが、グリップエンド部８側の穴はプラスチックフオーム等を穴に流し込み塞ぐ。なお、先端側の穴１８は、空いていることにより、使用者がスイングした際、バット１のヘツドスピードが最大となったときに最も大きな音が鳴る効果があるため、プラスチックフォーム等で完全に塞がない形状をとってもよい。
【００１６】
前述した使用者の年齢あるいは能力に合ったバット１の曲げ弾性とは、図５のように使用者がバット１の両端を、それぞれ右手と左手で握り、全力でバット１の中間点で折り曲げた場合、バット１が半円弧形状にまでなる程度の曲げ弾性を有し、また、瞬時に元の平坦な形状に復元可能な曲げ弾性反発力を有することをいう。
【００１７】
具体的には、図６に示すように、グリップエンド部８の端から６０ミリ、７２０ミリの位置に先端Ｒ１２．５のジグ２０，２２の支点を置き、グリップエンド部８の端から４６０ミリの位置から先端Ｒ１２．５のジグ２４で荷重をかける三点曲げ試験において、大人軟式用のバット１で、荷重１０kgfに対し荷重点の変位が４０〜８０ミリ程度の曲げ弾性を有することをいう。
【００１８】
バット１の全長は使用者の対象年齢、能力、または用途に応じた、公認野球規則による正規のバットと同様の長さで構成し、具体的には、大人用として８４０〜８８０ミリ、小人用として７００〜８４０ミリ程度が適している。バット１の重量も使用者の対象年齢、能力、または用途に応じた、正規のバットと同様の重さで構成し、具体的には、大人軟式用として６５０〜８３０グラム、大人硬式用として８３０〜９５０グラム、大人マスコットバット用として９５０〜１４００グラム、小人軟式用として５５０〜６４０グラム、小人硬式用として６４０〜８００グラム、小人マスコツトバット用として８００〜９５０グラム程度が適している。これらの重量構成は、製作過程におけるプラスチックフォームの充填量(密度)で調節する。
【００１９】
また、グリップ部６の表面は、製作過程においてプラスチックフォームを充填する型に、予めグリップテープで巻いたような形状を彫り、螺旋溝形状あるいは凹凸形状に成型した。このことにより、後でグリップテープを巻く工程とコストを削減可能にした。なお、グリップ部６の被覆部１６は厚みが６mm程度となり、使用者がグリップを握りスイングするには、適当な硬度を有している。
【００２０】
グリップエンド部８は、グリップ部６からテーパ状で径方向に広がった形状、いわゆるタイカップ型が望ましい。こうした理由は、スイング時にグリップエンド部８に密着させて握った使用者の手がグリップエンド部８の鉛直方向に力を加えるため、正規のバットの一般的なグリップエンドにみられるグリップに対して直角に径方向に広がった構造にすると、プラスチックフォームからなるグリップ部６とグリップエンド部８の境目から、クラックがおきやすいためである。よって、グリップ部６とグリップエンド部８の境目には、少なくとも丸みをつける必要性がある。
【００２１】
次に、前述した本実施形態のトレーニング用バット１の使用法について説明する。使用者はグリップ部６を両手で握り、スイングを始動する。スイングのトップの状態、すなわち、両手で握ったグリップ部６の位置が最も高くなった状態からバット１を振り出した後、グリップ部６の位置は、打球部２の位置よりも早く使用者のへその前あたりに到達する。そして、その瞬間、図７に示すように、使用者は身体全体の力を利用して、グリップ部６を、急激に投手方向に加速移動させる。要するに、バット１をできる限り大きくしならせるべく、グリップ部６に力を加えるようにする。
【００２２】
これは、発明者が知見を得た、超一流打者のみに見られる動作である。この時、芯部１０の弾性反発力により、使用者に負荷がかかり、トレーニング効果を期待できる。グリップ部６はバット全体に準じてしなる構造のため、使用者がグリップ部６を握った右手と左手の位置のズレにより、しなり具合が把握でき、トレーニング効果の進捗を確認できる。
【００２３】
バット１の素振りにおいては、バット１をできる限り大きくしならせた直後、元の平坦な形状に復元しようとする曲げ弾性反発力を打球に伝えるイメージでスイングし、フォロースイングにつなげる。また、バット１の先端の中心に位置している円柱状の穴１８が空いていることにより、バット１のヘッドスピードが最大となったときに最も大きな音が鳴るため、使用者のスイングのチェックに役立つ。
【００２４】
尚、本実施形態は、芯部１０と被覆部１６の一体構造で、被覆部１６が芯部１０を外部の衝撃から保護する構造であるため、野球用軟式ボールおよび硬式ボール程度の重さのボールをティー打撃で実打可能とし、バット１をボールに当てる直前に、より大きくしならせて、その曲げ弾性反発力を打球に伝えるタイミングと正確にミートする技術を実打によって身につけるトレーニングもできる。要するに、実打したボールの打球速度が大きくなることで、トレーニング効果の進捗を確認できる。
【００２５】
バット１の素振りやティー打撃以外にも、図８に示すように、使用者が両手ないし片手でグリップ部６を握り、手首の動作だけでバット１を前後、左右にしならせることによっても使用者に負荷がかかり、トレーニング効果を期待できる。また、使用者は、バット１でトレーニング効果が得られると、正規のバットをより大きくしならせるべく能力が向上し、打球の飛距離がアップする結果となる。
【００２６】
本実施形態では、トレーニング用バットとして野球のトレーニング用バットを例としたが、これに限らず、ソフトボールのトレーニング用バットとして用いてもよい。要するに、正規のソフトボール用バットは野球の軟式用バットと、ほぼ同じ重量であるため、軟式用としてのトレーニング用バットで軟式ボールを実打するトレーニングを行えば、正規のソフトボール用バットでソフトボールを打つ能力が向上する効果は十分に望めるためである。
【００２７】
以上本発明はこの様な実施形態に何等限定されるものではなく、本発明の要旨を逸脱しない範囲において種々なる態様で実施し得る。
【図面の簡単な説明】
【００２８】
【図１】本発明の一実施形態としてのトレーニング用バットの断面図である。
【図２】本実施形態の打球部側の抜け止め部材の部品図である。
【図３】本実施形態のグリップエンド部側の抜け止め部材の部品図である。
【図４】他の実施形態としてのグリップエンド部側の抜け止め部材の部品図である。
【図５】本実施形態のトレーニング用バットの曲げ弾性の程度を示す説明図である。
【図６】本実施形態のトレーニング用バットの曲げ弾性の試験方法の説明図である。
【図７】本実施形態のトレーニング用バットの使用状態を示す説明図である。
【図８】本実施形態のトレーニング用バットの他の使用状態を示す説明図である。
【符号の説明】
【００２９】
１…トレーニング用バット    ２…打球部
４…テーパ部                ６…グリップ部
８…グリップエンド部        １０…芯部
１２，１４…抜け止め部材
１２ａ，１２ｂ，１４ａ，１４ｂ…有底孔
１６…被覆部                １８…穴
２０，２２，２４…ジグ
【図１】
2005058670.tif 000003
【図２】
2005058670.tif 000004
【図３】
2005058670.tif 000005
【図４】
2005058670.tif 000006
【図５】
2005058670.tif 000007
【図６】
2005058670.tif 000008
【図７】
2005058670.tif 000009
【図８】
2005058670.tif 000010